(57)【特許請求の範囲】
【請求項１】
間隔をおいて配置された浴室側面材と脱衣室側面材の外周が、左右の縦框と上下の横框で包囲されてなる浴室用ドアにおいて、
前記左右の縦框のうち一方側の縦框には浴室側へ連通する浴室側開口を形成し、他方側の縦框には脱衣室側へ連通する脱衣室側開口を形成して、前記２つの面材間を左右方向に空気が流れるように構成したことを特徴とする浴室用ドア。
【請求項２】
前記浴室側開口には、浴室側からの水の侵入を防ぐ水返し突部が設けられていることを特徴とする請求項１に記載の浴室用ドア。
【請求項３】
前記浴室側面材と脱衣室側面材とを、共振周波数の異なる異素材で形成したことを特徴とする請求項１または請求項２に記載の浴室用ドア。
【請求項４】
前記浴室側面材の厚み寸法と、前記脱衣室側面材の厚み寸法と、両面材間の間隔寸法とが互いに整数倍の関係にならないように設計されていることを特徴とする請求項１または請求項２に記載の浴室用ドア。
【発明の詳細な説明】
【技術分野】
【０００１】
本発明は、浴室の入口に開閉可能に設けられる浴室用ドアに関するものである。
【背景技術】
【０００２】
従来、特許文献１に開示されているように、ドアフレーム枠内に、一対の側面板を間隔をおいて設け、内部を中空にして、内部に吸音材を設けるとともに、ドアフレーム枠に通気孔を開口した構造の防音ドアパネルが存在する。
また、特許文献２に開示されているように、扉の下方から入った空気が上昇して上方の扉枠との隙間から排気されるように構成した二重壁構造の遮音扉が存在する。
【特許文献１】実開昭６２−１３５７８９号公報
【特許文献２】特開２００５−１０５５７９号公報
【発明の開示】
【発明が解決しようとする課題】
【０００３】
上記特許文献１および特許文献２に開示されている構造では、ドアフレーム枠或いは遮音扉内で空気は縦方向に流れるため、縦方向の対流が浴室内に形成されることとなるが、浴室の天井面には換気扇が設けられているため、この換気扇に縦方向の対流が吸い込まれて、良好に空気が循環できなくなり、浴室の換気効率が悪くなるという問題点が生ずる。
また、上面側に開口された通気孔から水が内部に入りやすいという問題点もあり、また、通気孔が露出して見栄えも悪いという問題点があった。
また、上記従来の構造では、防音性を高めるために内部に仕切板や吸音材が設けられており、面材を透明なガラス等で構成した場合には内部の仕切板や吸音材が見えてしまい、意匠性が悪化するという問題点があった。
【課題を解決するための手段】
【０００４】
本発明は、減音効果があり、しかも浴室内への換気効率が向上し、見栄え性の良好な浴室用ドアを提供することを目的の１つとし、この目的の少なくとも一部を達成するために以下の手段を採った。
本発明は、間隔をおいて配置された浴室側面材と脱衣室側面材の外周が、左右の縦框と上下の横框で包囲されてなる浴室用ドアにおいて、前記左右の縦框のうち一方側の縦框には浴室側へ連通する浴室側開口を形成し、他方側の縦框には脱衣室側へ連通する脱衣室側開口を形成して、前記２つの面材間を左右方向に空気が流れるように構成したことを要旨とする。
【発明の効果】
【０００５】
本発明の浴室用ドアでは、脱衣室側開口から、ドアの浴室側面材と脱衣室側面材間に空気が流入し、浴室側開口から浴室内に向けて空気が流れ、ドアの内部で左右方向に空気の流れが形成されて、浴室内の換気扇に影響されることなく浴室内に左右方向の空気の流れによる対流を形成させることができ、浴室内を効率よく換気させながら浴室内の音が浴室外へ漏れるのを防ぐことが可能である。
また、浴室側面材と脱衣室側面材の二重構造により減音効果が得られ、浴室側面材と脱衣室側面材間には仕切板や吸音材が配置されないために、浴室側面材および脱衣室側面材をガラス等の透明素材で形成して、開放感のある意匠性に優れたドアとすることができる。
【０００６】
また、本発明の浴室用ドアにおいて、前記浴室側開口には、浴室側からの水の侵入を防ぐ水返し突部が設けられている構成とすることもできる。
こうすれば、浴室側から、ドア枠と浴室用ドアの隙間に水が侵入することがあっても、水返し突部により、浴室用ドア内部への水の侵入を良好に防ぐことができる。
【０００７】
また、本発明の浴室用ドアにおいて、前記浴室側面材と脱衣室側面材とを、共振周波数の異なる異素材で形成することもできる。
こうすれば、固有モードによる共振作用で特定周波数の音が透過してしまう現象を良好に防ぐことができるものとなる。
【０００８】
また、本発明の浴室用ドアにおいて、前記浴室側面材の厚み寸法と、前記脱衣室側面材の厚み寸法と、両面材間の間隔寸法とが互いに整数倍の関係にならないように設計することもできる。
こうすれば、整数倍の関係では共振しやすいが、整数倍の関係にならないように設計することで、共振対策の仕切り等を面材と面材間に入れることなく、面材の厚みで対応することができて、固有モードによる共振作用で特定周波数の音が透過してしまう現象を良好に防ぐことができ、また、面材の厚みで対応するものであるため、ドアの製作が容易であり、面材に透明素材を用いても意匠性を損なわずに開放感のある見栄えの良好なドアが得られる。
【発明を実施するための最良の形態】
【０００９】
次に、本発明を実施するための最良の形態を実施例を用いて説明する。
図１は、浴室用ドアの脱衣室側から視た正面図であり、図２は、図１のＡ−Ａ線断面図であり、図３は、図１のＢ−Ｂ線断面図である。また図４は、浴室用ドアの斜視図であり、図５および図６は、要部の拡大斜視図である。
【００１０】
図において、浴室用ドア１は、浴室側の浴室側面材２と脱衣室側の脱衣室側面材３が間隔をおいて平行に縦方向に配置され、浴室側面材２と脱衣室側面材３間に中間層４が形成されている。
浴室側面材２の左右端側には浴室側縦框５，６が立設され、浴室側面材２の上下端側には浴室側横框７，８が設けられ、この框５，６，７，８で浴室用面材２の外周が包囲されている。
【００１１】
なお、浴室側縦框５の上端には、上方へ突出した軸９ａを有するヒンジ部材９が設けられており、浴室側縦框５の下端側には、上方へ延びる軸孔１０ａを備えたヒンジ部材１０が設けられている。
また、他方側の浴室側縦框６の外端には、脱衣室側へ向かって突出した突片６ａが形成されている。
【００１２】
また、脱衣室側面材３の左右端にも脱衣室側縦框１１，１２が立設され、脱衣室側面材３の上下端には脱衣室側横框１３，１４が設けられて、この框１１，１２，１３，１４により脱衣室側面材３の外周が包囲されている。
なお、脱衣室側面材３の脱衣室側縦框１２と前記浴室側縦框６の突片６ａ間には、脱衣室側へ縦方向に開口された脱衣室側開口１５が形成されており、この脱衣室側開口１５は面材２，３間に形成された中間層４に連通されている。
また、他方側の脱衣室側縦框１１の内側には、縦方向に凹溝１１ａが凹み状に形成されており、この凹溝１１ａ内に、浴室側縦框５側から突出状に延びる水返し突部１７が縦方向に配置されて、この水返し突部１７と凹溝１１ａにより中間層４と連通する迂回路が形成され、水返し突部１７の外側において、浴室側縦框５と脱衣室側縦框１１間で浴室側開口１６が開口形成され、この浴室側開口１６は、浴室内と中間層４を連通させるように縦方向に開口されたものである。
【００１３】
全体として浴室側面材２と脱衣室側面材３間の中間層４は、浴室側および脱衣室側の縦および横の框５，６，７，８，１１，１２，１３，１４により外周が包囲されており、脱衣室側開口１５と浴室側開口１６のみで外部と中間層４が連通されたものとなっている。
【００１４】
このような浴室用ドア１は、図７および図８のように、ドア枠に取り付けられて浴室の入口に設置されるものである。
ドア枠は、左右に立設される縦ドア枠１８，１９と、上下に横方向に設けられた横ドア枠２０，２１で長方形の枠状に形成されている。
なお、縦ドア枠１８の脱衣室側には、浴室用ドア１の脱衣室側縦框１１の外側に延びる受け片１８ａが形成されており、この受け片１８ａにゴム製のドア受け２２ａが設けられて、浴室用ドア１が閉じられた状態では、ドア受け２２ａを介し、縦ドア枠１８と脱衣室側縦框１１が水密状に接するように構成されている。
【００１５】
また同様に、他方側の縦ドア枠１９にも、浴室側縦框の突片６ａの脱衣室側へ延びて受け片１９ａが形成されており、この受け片１９ａにはゴム製のドア受け２２ｂが設けられて、ドア受け２２ｂにより縦ドア枠１９と浴室用ドア１間の水密性が確保されるように構成されており、同様に、上下の横ドア枠２０および２１にも、それぞれ受け片２０ａ，２１ａが突出形成されており、受け片２０ａ，２１ａにもそれぞれゴム製のドア受け２２ｃ，２２ｄが設けられて、浴室用ドア１の上下端側の閉じた状態での水密性が確保されるように構成されている。
【００１６】
このように浴室用ドア１を閉じた状態ではドア枠に水密状に当接されて、脱衣室と浴室は浴室用ドア１の中間層４のみで連通するものである。
なお、浴室用ドア１の浴室側縦框５の上端に突出されている軸９ａが、横ドア枠２０に形成されている軸孔２０ｂ内に挿入され、また、横ドア枠２１から突出されている軸２３が浴室側縦框５の下端の軸孔１０ａ内に挿入されて、浴室用ドア１はドア枠に対し浴室側へ開閉できるように構成されている。
【００１７】
なお、図８に示すように、上方側のヒンジ部材９および下方側のヒンジ部材１０にそれぞれ対向状に上下に突出して軸２４ａ，２４ｂを形成させておき、この軸２４ａ，２４ｂを、脱衣室側縦框１１の上下に設けた孔内に挿入した構成にしておけば、脱衣室側面材３を脱衣室側へ単独で開けることができるものとなり、脱衣室側面材３を開けて、中間層４内の清掃等を良好に行えるものとなる。
【００１８】
なお、ドア枠に対し浴室用ドア１が閉じられた状態では、図７に示すように、縦ドア枠１８と浴室側および脱衣室側の縦框５，１１間に隙間Ｓ１が形成され、この隙間Ｓ１は浴室側に開口されている。一方、縦ドア枠１９と浴室側縦框６間にも隙間Ｓ２が形成される。
このような構成において、浴室用ドア１が閉じられた状態では、脱衣室側開口１５から脱衣室側の空気が中間層４内に流れ、浴室側開口１６を通り、隙間Ｓ１を通って、空気が浴室内に流れ込み、この空気の流れは左右方向の流れとなるため、浴室内に左右方向の対流が形成されることとなり、浴室内の天井に設けられている換気扇に対流が吸い込まれることなく、良好な換気作用が確保され、換気効率が良好なものとなる。
【００１９】
なお、浴室用ドア１が閉じられた状態では、浴室側開口１６は縦ドア枠１８の内側に隠されるため、浴室側開口１６は見えなくなり、見栄え性が良好なものとなる。
また、浴室用ドア１の上面側は浴室側および脱衣室側の横框７，１３で塞がれているため、上方から中間層４内に水等が入り込むことはない。
さらに、凹溝１１ａ内に水返し突部１７が突出されており、この水返し突部１７により、中間層４内への浴室側からの水の侵入を良好に防ぐことができるものである。即ち、浴室側から隙間Ｓ１内に水が侵入することがあっても、ドアの中間層４内に水が侵入することはない。
なお、この水返し突部１７と凹溝１１ａにより、空気が流れる際の迂回路が形成されているため、音の回折が増え、この部分で良好に音を減衰させることができるものとなる。
【００２０】
なお、減音効果を高めるために、例えば、図２に示すように、浴室側面材２および脱衣室側面材３を共にガラス素材で構成し、浴室側面材２のガラスの厚みａを６ｍｍに設定し、一方の脱衣室側面材３を構成するガラスの厚み寸法ｂを５ｍｍに設定し、また、中間層４の間隔寸法ｃを１１ｍｍに設定して構成することができる。
なお、このａ，ｂ，ｃの寸法は、互いに整数倍の関係にならないように設計したものであり、整数倍の関係とならないように設計することで、固有モードによる共振作用で特定周波数の音が透過してしまう現象を防ぐことができる。
【００２１】
即ち、浴室側面材の厚み寸法ａと脱衣室側面材３の厚み寸法ｂと中間層４の間隔寸法ｃが２倍，３倍，４倍等の整数倍の関係にならないように設定することにより、良好な減音効果を得ることができ、面材２，３は共に透明なガラスを使用することができて、中間層４内には仕切板や吸音材を設ける必要がないため、浴室用ドア１を開放感のある透明なものとして意匠性を向上させることができる。
【００２２】
なお、減音効果を高めるために、浴室側面材２と脱衣室側面材３を異素材で構成して、共振しにくい構造に設定することもできる。例えば、一方側の面材をガラスで構成し、他方側の面材を例えばポリカーボネート等の素材で構成することもできる。
【図面の簡単な説明】
【００２３】
【図１】脱衣室側から視た浴室用ドアの正面図である。
【図２】図１のＡ−Ａ線断面構成図である。
【図３】図１のＢ−Ｂ線断面構成図である。
【図４】浴室用ドアの斜視構成図である。
【図５】図４のＡ部拡大斜視構成図である。
【図６】図４のＢ部拡大斜視構成図である。
【図７】ドア枠に浴室用ドアを取り付けて閉じた状態の横断面平面構成図である。
【図８】ドア枠に対し浴室用ドアを閉じた状態のヒンジ部材側における縦断面構成図である。
【符号の説明】
【００２４】
１  浴室用ドア
２  浴室側面材
３  脱衣室側面材
４  中間層
５，６  浴室側縦框
６ａ  突片
７，８  浴室側横框
９，１０  ヒンジ部材
９ａ  軸
１０ａ  軸孔
１１  脱衣室側縦框
１１ａ  凹溝
１２  脱衣室側縦框
１３，１４  脱衣室側横框
１５  脱衣室側開口
１６  浴室側開口
１７  水返し突部
１８，１９  縦ドア枠
１８ａ，１９ａ，２０ａ，２１ａ  受け片
２０，２１  横ドア枠
２０ｂ  軸孔
２２ａ，２２ｂ，２２ｃ，２２ｄ  ドア受け
２４ａ，２４ｂ  軸
Ｓ１，Ｓ２  隙間
【図１】
0004942669.tif 000002
【図２】
0004942669.tif 000003
【図３】
0004942669.tif 000004
【図４】
0004942669.tif 000005
【図５】
0004942669.tif 000006
【図６】
0004942669.tif 000007
【図７】
0004942669.tif 000008
【図８】
0004942669.tif 000009